【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
表示部と、
この表示部に予め用意された固定文字列を表示する制御を行う表示制御手段とを備えた撮影装置において、
前記表示制御手段によって前記表示部に表示される前記固定文字列を所望の他の文字列に置き換える編集をする文字列編集手段と、
記憶装置が着脱されるスロットを備え、
前記文字列編集手段は、スロットに装着された記憶装置に、前記表示部に表示される予め用意された複数の前記固定文字列および前記文字列編集手段によって置き換える編集が行われた複数の前記他の文字列を格納する第１の固定文字列データベース、または、前記文字列編集手段によって置き換える編集が行われた複数の前記他の文字列を格納する第１の置換文字列データベースが記憶されている場合、前記記憶装置に記憶された前記第１の固定文字列データベースまたは前記第１の置換文字列データベースを参照して、前記固定文字列を前記他の文字列に置き換え、
前記表示制御手段は、前記文字列編集手段により編集された前記他の文字列を前記表示部に表示する制御を行うことを特徴とする撮影装置。
【請求項２】
前記他の文字列が入力される操作が行われる操作部を備え、
前記文字列編集手段は、前記固定文字列を、前記操作部に対する操作によって入力された前記他の文字列に置き換える編集をすることを特徴とする請求項１に記載の撮影装置。
【請求項３】
文字を認識する文字認識手段を備え、
前記文字列編集手段は、前記固定文字列を、前記文字認識手段によって認識された前記他の文字列に置き換える編集をすることを特徴とする請求項１に記載の撮影装置。
【請求項４】
音声を認識する音声認識手段を備え、
前記文字列編集手段は、前記固定文字列を、前記音声認識手段によって認識された音声が表す前記他の文字列に置き換える編集をすることを特徴とする請求項１に記載の撮影装置。
【請求項５】
２次元コードを認識する２次元コード認識手段を備え、
前記文字列編集手段は、前記固定文字列を、前記２次元コード認識手段によって認識された２次元コードが表す前記他の文字列に置き換える編集をすることを特徴とする請求項１に記載の撮影装置。
【請求項６】
前記表示部に表示される予め用意された複数の前記固定文字列を格納する第２の固定文字列データベースを備え、
前記文字列編集手段は、前記第２の固定文字列データベースに格納されている前記固定文字列を前記他の文字列に置き換える編集をすることを特徴とする請求項１から請求項５のいずれか１項に記載の撮影装置。
【請求項７】
前記表示部に表示される予め用意された複数の前記固定文字列を格納する第２の固定文字列データベースと、
前記文字列編集手段によって置き換える編集が行われた複数の前記他の文字列を格納する第２の置換文字列データベースとを備え、
前記表示制御手段は、前記第２の固定文字列データベースに格納された前記文字列編集手段によって置き換えられる前の前記固定文字列と、前記第２の置換文字列データベースに格納された前記文字列編集手段によって置き換えられた前記他の文字列とを切り替えて前記表示部に表示する制御を行うことを特徴とする請求項１から請求項５のいずれか１項に記載の撮影装置。
【請求項８】
操作されると、前記文字列編集手段によって置き換える編集が行われた前記他の文字列に代えてその文字列に対応する前記固定文字列を前記表示制御手段によって前記表示部に表示させる表示切替操作手段を備えていることを特徴とする請求項７に記載の撮影装置。
【請求項９】
前記表示部に表示される文字列の表示態様を設定する表示態様設定手段を備え、
前記表示制御手段は、前記表示態様設定手段によって設定された表示態様に応じて、前記固定文字列と前記他の文字列とを切り替えて前記表示部に表示する制御を行うことを特徴とする請求項７または請求項８に記載の撮影装置。
【請求項１０】
前記第２の置換文字列データベースに格納されている任意の前記他の文字列を消去する文字列消去手段を備えていることを特徴とする請求項７から請求項９のいずれか１項に記載の撮影装置。
【請求項１１】
前記文字列編集手段によって置き換える編集が行われた前記他の文字列をヘッダ部に記録し、撮影画像をイメージ部に記録して画像ファイルを生成する画像ファイル生成手段を備えていることを特徴とする請求項１から請求項１０のいずれか１項に記載の撮影装置。
【請求項１２】
前記文字列編集手段によって置き換える編集が行われた複数の前記他の文字列から構成される文字列テーブルをヘッダ部に記録し、撮影画像をイメージ部に記録して画像ファイルを生成する画像ファイル生成手段を備えていることを特徴とする請求項１から請求項１０のいずれか１項に記載の撮影装置。
【請求項１３】
撮影画像に基づいて画像ファイルを生成する画像ファイル生成手段と、
前記文字列編集手段によって置き換える編集が行われた前記他の文字列を記憶した複数の文字列ファイル、または、前記文字列編集手段によって置き換える編集が行われた複数の前記他の文字列から構成される文字列テーブルを記憶した複数の文字列テーブルファイル、または、前記文字列編集手段によって置き換える編集が行われた複数の前記他の文字列から構成される複数の文字列データベースを作成する作成手段と、
この作成手段によって作成されて記憶手段に記憶された前記文字列ファイルまたは前記文字列テーブルファイルまたは前記文字列データベースと、前記画像ファイル生成手段によって生成されて同一の前記記憶手段に記憶された前記画像ファイルとを関連付ける関連付け手段と
を備えていることを特徴とする請求項１から請求項１０のいずれか１項に記載の撮影装置。
【請求項１４】
表示部と、
この表示部に予め用意された固定文字列を表示する制御を行う表示制御手段とを備えた撮影装置において、
前記表示制御手段によって前記表示部に表示される前記固定文字列を所望の他の文字列に置き換える編集をする文字列編集手段と、
前記表示部に表示される予め用意された複数の前記固定文字列および前記文字列編集手段によって置き換える編集が行われた複数の前記他の文字列を格納する固定文字列データベース、または、前記文字列編集手段によって置き換える編集が行われた複数の前記他の文字列を格納する置換文字列データベースを、無線接続または有線接続により接続された他の電子機器との間で入出力する入出力手段を備え、
前記文字列編集手段は、この入出力手段によって入力された前記固定文字列データベースまたは前記置換文字列データベースを参照して、前記固定文字列を前記他の文字列に置き換え、
前記表示制御手段は、前記文字列編集手段により編集された前記他の文字列を前記表示部に表示する制御を行うことを特徴とする撮影装置。
【請求項１５】
撮影装置の表示部に表示される予め用意された複数の固定文字列および前記撮影装置の文字列編集手段によってこの固定文字列が所望のものに置き換えられる編集が行われた複数の他の文字列を格納する固定文字列データベース、または、前記文字列編集手段によって置き換える編集が行われた複数の前記他の文字列を格納する置換文字列データベースを、前記撮影装置のスロットに着脱される記憶装置を介して、または無線接続もしくは有線接続によって接続された前記撮影装置からコンピュータ内に取得する取得機能と、
この取得機能によって取得した前記固定文字列データベースまたは前記置換文字列データベースを参照して、コンピュータ画面に表示される撮影情報を表す予め用意された固定文字列を前記他の文字列に置き換える編集をする文字列編集機能と、
この文字列編集機能により編集された前記他の文字列をコンピュータ画面に表示する表示機能と
をコンピュータに実現させるためのプログラム。
【請求項１６】
撮影装置の表示部に表示される予め用意された複数の固定文字列および前記撮影装置の文字列編集手段によってこの固定文字列が所望のものに置き換えられる編集が行われた複数の他の文字列を格納する固定文字列データベース、または、前記文字列編集手段によって置き換える編集が行われた複数の前記他の文字列を格納する置換文字列データベースを記憶する記憶機能と、
この記憶機能によって記憶された前記固定文字列データベースまたは前記置換文字列データベースを参照して、グラフィカル・ユーザ・インターフェースによってコンピュータ画面にダイアログ表示される撮影情報を表す予め用意された複数の固定文字列を前記他の文字列に置き換える編集をする文字列編集機能と、
この文字列編集機能により編集された前記他の文字列をコンピュータ画面にダイアログ表示する表示機能と
をコンピュータに実現させるためのプログラム。
【請求項１７】
撮影装置の表示部に表示される予め用意された複数の固定文字列および前記撮影装置の文字列編集手段によってこの固定文字列が所望のものに置き換えられる編集が行われた複数の他の文字列を格納する固定文字列データベース、または、前記文字列編集手段によって置き換える編集が行われた複数の前記他の文字列を格納する置換文字列データベースを記憶する記憶機能と、
撮影装置の表示部に表示される予め用意された複数の固定文字列を格納する固定文字列データベースを、前記撮影装置のスロットに着脱される記憶装置を介して、または無線接続もしくは有線接続によって接続された前記撮影装置からコンピュータ内に取得する取得機能と、
この取得機能によって取得した前記固定文字列データベースに格納されている前記複数の固定文字列をグラフィカル・ユーザ・インターフェースによってコンピュータ画面にダイアログ表示する表示機能と、
この表示機能によってコンピュータ画面に表示される前記複数の固定文字列を、前記固定文字列データベースまたは前記置換文字列データベースを参照して、前記他の文字列に置き換える編集をする文字列編集機能と、
この文字列編集機能によって置き換える編集が行われた複数の前記他の文字列を含む、前記取得機能によって取得した前記固定文字列データベースを、前記記憶装置を介して、または無線接続もしくは有線接続によって接続された前記撮影装置に出力する出力機能と
をコンピュータに実現させるためのプログラム。
【請求項１８】
撮影装置の画像ファイル生成手段により生成された画像ファイル、および前記撮影装置の表示部に表示される予め用意された複数の固定文字列が所望のものに置き換えられる編集が前記撮影装置の文字列編集手段によって行われた複数の他の文字列を、前記撮影装置のスロットに着脱される記憶装置を介して、または無線接続もしくは有線接続によって接続された前記撮影装置からコンピュータ内に取得する取得機能と、
この取得機能によって前記画像ファイルを取得するときに、前記画像ファイルのヘッダ部に前記複数の他の文字列を記録する記録機能と、
前記ヘッダ部に記録された前記他の文字列を表示する表示機能と
をコンピュータに実現させるためのプログラム。
【手続補正２】
【補正対象書類名】明細書
【補正対象項目名】０００４
【補正方法】変更
【補正の内容】
【０００４】
本発明はこのような課題を解決するためになされたもので、
表示部と、
この表示部に予め用意された固定文字列を表示する制御を行う表示制御手段とを備えた撮影装置において、
表示制御手段によって表示部に表示される固定文字列を所望の他の文字列に置き換える編集をする文字列編集手段と、
記憶装置が着脱されるスロットを備え、
文字列編集手段は、スロットに装着された記憶装置に、表示部に表示される予め用意された複数の固定文字列および文字列編集手段によって置き換える編集が行われた複数の他の文字列を格納する第１の固定文字列データベース、または、文字列編集手段によって置き換える編集が行われた複数の他の文字列を格納する第１の置換文字列データベースが記憶されている場合、記憶装置に記憶された第１の固定文字列データベースまたは第１の置換文字列データベースを参照して、固定文字列を他の文字列に置き換え、
表示制御手段は、文字列編集手段により編集された他の文字列を表示部に表示する制御を行うことを特徴とする。
【手続補正３】
【補正対象書類名】明細書
【補正対象項目名】０００５
【補正方法】変更
【補正の内容】
【０００５】
この構成によれば、文字列編集手段によって置き換える編集が行われた複数の他の文字列を格納する固定文字列データベース、または、置換文字列データベースを記憶した記憶装置がスロットに装着されると、この記憶装置に記憶された固定文字列データベースまたは置換文字列データベースが文字列編集手段によって参照され、固定文字列が他の文字列に置き換えられて、表示部に表示される。このため、スロットに装着された記憶装置に格納される他の文字列の情報に基づいて、表示部において、固定文字列が他の文字列に置き換えられて表示されるため、文字列編集手段によって置き換えられた他の文字列は、１つの記憶装置が複数の撮影装置の各スロットに装着されることにより、各撮影装置の表示部において置き換えられて表示され、複数の撮影装置の間で共有されるようになる。
【手続補正４】
【補正対象書類名】明細書
【補正対象項目名】００１４
【補正方法】変更
【補正の内容】
【００１４】
また、本発明は、
表示部に表示される予め用意された複数の固定文字列を格納する第２の固定文字列データベースを備え、
文字列編集手段は、第２の固定文字列データベースに格納されている固定文字列を他の文字列に置き換える編集をすることを特徴とする。
【手続補正５】
【補正対象書類名】明細書
【補正対象項目名】００１６
【補正方法】変更
【補正の内容】
【００１６】
また、本発明は、
表示部に表示される予め用意された複数の固定文字列を格納する第２の固定文字列データベースと、
文字列編集手段によって置き換える編集が行われた複数の他の文字列を格納する第２の置換文字列データベースとを備え、
表示制御手段は、第２の固定文字列データベースに格納された文字列編集手段によって置き換えられる前の固定文字列と、第２の置換文字列データベースに格納された文字列編集手段によって置き換えられた他の文字列とを切り替えて表示部に表示する制御を行うことを特徴とする。
【手続補正６】
【補正対象書類名】明細書
【補正対象項目名】００２２
【補正方法】変更
【補正の内容】
【００２２】
また、本発明は、第２の置換文字列データベースに格納されている任意の他の文字列を消去する文字列消去手段を備えていることを特徴とする
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】変更
【補正の内容】
【００３２】
また、本発明は、
表示部と、
この表示部に予め用意された固定文字列を表示する制御を行う表示制御手段とを備えた撮影装置において、
表示制御手段によって表示部に表示される固定文字列を所望の他の文字列に置き換える編集をする文字列編集手段と、
表示部に表示される予め用意された複数の固定文字列および文字列編集手段によって置き換える編集が行われた複数の他の文字列を格納する固定文字列データベース、または、文字列編集手段によって置き換える編集が行われた複数の他の文字列を格納する置換文字列データベースを、無線接続または有線接続により接続された他の電子機器との間で入出力する入出力手段を備え、
文字列編集手段は、この入出力手段によって入力された固定文字列データベースまたは置換文字列データベースを参照して、固定文字列を他の文字列に置き換え、
表示制御手段は、文字列編集手段により編集された他の文字列を表示部に表示する制御を行うことを特徴とする。